(57)【特許請求の範囲】
【請求項１】
ゴム状弾性体のパッキンを介して外周を枠体に固定してなるガラス板に連結される連結具であって、
前記パッキンとガラス板の間に挿入でき、かつパッキンとガラス板の間に挿入して回転できる太さの線材からなり、この線材は先端部をＬ字状としてガラス板の外周縁に係止されるガラス周縁係止部を有し、さらに線材は、パッキンからの露出部に被連結材を連結する連結部を有し、
Ｌ字状の先端部がパッキンとガラス板の間に挿入される状態で回転されて、ガラス周縁係止部がガラス板の外周縁に係止され、ゴム状弾性体のパッキンでもってガラス板の表面に押圧されてガラス板に連結状態に保持されるようにしてなるガラス板に連結される連結具。
【請求項２】
パッキンの外部に露出する露出部に、ガラス周縁係止部がガラス板の外周縁に係止される状態で、ガラス板の表面に沿う回転阻止部を備え、この回転阻止部がガラス板の表面に沿う状態で、ガラス周縁係止部をガラス板の外周縁の係止位置に保持するようにしてなる請求項１に記載されるガラス板に連結される連結具。
【請求項３】
ガラス周縁係止部の先端部が内側に折曲されてロック片を設けている請求項１に記載されるガラス板に連結される連結具。
【請求項４】
ゴム状弾性体のパッキンを介して外周を枠体に固定してなるガラス板の対向部に連結される一対の連結具と、一対の連結具に両端が連結される連結線とを備え、
前記連結具は、パッキンとガラス板の間に挿入でき、かつパッキンとガラス板の間に挿入して回転できる太さの線材からなり、この線材は先端部をＬ字状としてガラス板の外周縁に係止されるガラス周縁係止部を有し、さらに線材はパッキンからの露出部に連結線を連結する連結部を有し、
Ｌ字状の先端部がパッキンとガラス板の間に挿入される状態で回転されて、ガラス周縁係止部がガラス板の外周縁に係止され、ゴム状弾性体のパッキンでもってガラス板の表面に押圧されてガラス板に連結状態に保持されるようにしており、
一対の連結具がガラス板の対向部に連結され、この連結具に連結線を連結して、ガラス板と連結線との間に被固定材を挟着するようにしてなるガラス板に被固定材を装着する連結装置。
【請求項５】
前記連結具が、ガラス板から外部に露出する露出部に、ガラス周縁係止部がガラス板の外周縁に係止される状態で、ガラス板の表面に沿う回転阻止部を備え、この回転阻止部がガラス板の表面に沿う状態で、ガラス周縁係止部をガラス板の外周縁の係止位置に保持するようにしてなる請求項４に記載されるガラス板に被固定材を装着する連結装置。
【請求項６】
ガラス周縁係止部の先端部が内側に折曲されてロック片を設けている請求項４に記載されるガラス板に被固定材を装着する連結装置。
【請求項７】
前記被固定材が、透明シート、半透明シート、不透明シート材のいずれかである請求項４に記載されるガラス板に被固定材を装着する連結装置。
【請求項８】
前記連結線が伸縮性を有する請求項４に記載されるガラス板に被固定材を装着する連結装置。
【請求項９】
前記連結線がゴム糸、スプリング線のいずれかからなる伸縮性を有する連結線である請求項８に記載されるガラス板に被固定材を装着する連結装置。
【発明の詳細な説明】
【技術分野】
【０００１】
本発明は、ガラス板にシート材などをセットする連結具と、この連結具を備える連結装置に関する。
【背景技術】
【０００２】
窓ガラスは、シートを貼り付け、あるいは塗装することで、光を遮断し、又は光を乱反射して目隠しできる。これらの方法で処理された窓ガラスは、長期に使うと紫外光の影響で色合いが変化、退色したり、窓拭きの影響ではげたりする欠点がある。さらに、この構造は、薄いシート等を粘着テープや糊を用いて貼り付けるが、貼り付けに手間と技術を必要とする。それは、シートの全面をシワができないように均等に貼り付けるのが難しいからである。また、粘着テープや糊で付着されたシートは、剥離に手間がかかる欠点もある。さらに、引き違い戸の窓ガラスは、内鍵の受け金具等が板ガラスの上に突き出ていることから、シート材の貼り付けがさらに難しくなる。金具を避けながら、狭い隙間に潜らせてシートを貼り付けるからである。
【０００３】
以上の欠点は、窓ガラスの外周にフックを係止し、このフックを介して装飾具などを連結する構造で解消できる。（特許文献１参照）
【特許文献１】実用新案登録第３１３７２８８号公報
【発明の開示】
【発明が解決しようとする課題】
【０００４】
特許文献１の装飾フックを図１に示す。この図の装飾フックは、公報の要約に以下のように記載される。吊り下げフックは、窓ガラス対向ツメ２１０とサッシ対向ツメ２２０とブリッジ２１３を備えている。サッシ枠体に対向するサッシ対向ツメ２２０はサッシ枠体２００の下端部の返し２１１に引っ掛ける引っ掛け形状２２１を備えている。窓ガラス３００に対向する窓ガラス対向ツメ２１０はサッシ枠体２００側に盛り上がった突起形状２１２を備えている。ブリッジ２１３から下方に延びるワイヤー２５０の先端には装飾物を挟持する挟持フック２６０が取り付けられている。窓ガラス対向ツメ２１０とサッシ対向ツメ２２０によりゴムビート２３０を挟み噛ませつつ窓ガラス３００とサッシ枠体２００との間に押し入れて装着・係止する。
【０００５】
図１の装飾フックは、それ自体の弾性で、サッシ枠体に設けているガラス板に向かって突出する引っ掛け形状に係止する。この構造の装飾フックは、ガラス板とサッシ枠体との間にスムーズに挿入できず、また挿入した状態で確実に抜けないように係止するのが難しい欠点がある。
【０００６】
本発明は、この欠点を解決することを目的に開発されたものである。本発明の重要な目的は、極めて簡単な構造としながら、ガラス板に確実に抜けないように連結でき、さらに誰もが簡単かつ容易に、しかも速やかにガラス板にセットできる連結具とこの連結具を使用する連結装置を提供することにある。
【課題を解決するための手段及び効果】
【０００７】
本発明は、前述の目的を達成するために以下の構成を備える。
連結具は、ゴム状弾性体のパッキンを介して外周を枠体に固定してなるガラス板に連結される。この連結具は、パッキンとガラス板の間に挿入でき、かつパッキンとガラス板の間に挿入して回転できる太さの線材からなる。連結具の線材は、先端部をＬ字状としてガラス板の外周縁に係止されるガラス周縁係止部を設けている。さらに線材は、パッキンからの露出部に被連結材を連結する連結部を設けている。この連結具は、Ｌ字状の先端部がパッキンとガラス板の間に挿入される状態で回転されて、ガラス周縁係止部をガラス板の外周縁に係止し、ゴム状弾性体のパッキンでもってガラス板の表面に押圧されてガラス板に連結状態に保持される。
【０００８】
この連結具は、極めて簡単な構造としながら、ガラス板に確実に抜けないように連結できる。また、誰もが簡単かつ容易に、しかも速やかにガラス板にセットできる特徴がある。それは、ガラス周縁係止部をガラス板とパッキンとの間に挿入して回転することで、ガラス板の外周縁に係止できるからである。また、ガラス周縁係止部をガラス板の外周縁に係止し、さらにゴム状弾性体のパッキンに弾性的にガラス板に向かって押圧されることから、ガラス周縁係止部は確実にガラス板の外周縁に係止されて、抜けないようにガラス板に連結される。また、ガラス周縁係止部をガラス板の外周縁に係止することから、引き抜き強度を極めて強くできる。パッキンのゴム状弾性体を利用してガラス板に押圧されることから、全体の構造を極めて簡単にしながら、抜けないようにガラス板に連結できる。
【０００９】
本発明の請求項２の連結具は、ガラス板から外部に露出する露出部に、ガラス周縁係止部がガラス板の外周縁に係止される状態で、ガラス板の表面に沿う回転阻止部を設けている。この回転阻止部は、ガラス板の表面に沿う状態で、ガラス周縁係止部をガラス板の外周縁の係止位置に保持する。
【００１０】
この構造の連結具は、回転阻止部でもつて、ガラス周縁係止部をガラス板の外周縁の係止位置に保持する。このため、ガラス周縁係止部がガラス板の外周縁から外れることがなく、確実にガラス板に連結できる。また、ガラス周縁係止部をガラス板とバッテリとの間に挿入する状態で、回転阻止部をつかんで簡単に回転して、ガラス周縁係止部をガラス板の外周縁に係止できる特徴もある。
【００１１】
また、本発明の請求項３の連結具は、ガラス周縁係止部の先端部を内側に折曲してロック片を設けている。この連結具は、ロック片によってガラス周縁係止部を溝形として、この溝部にガラス板の外周縁部を案内して係止するので、ガラス周縁係止部をより確実にガラス板の外周縁に係止して、ガラス周縁係止部を抜けないように係止できる。
【００１２】
さらに、本発明の請求項４の連結装置は、ゴム状弾性体のパッキンを介して外周を枠体に固定してなるガラス板の対向部に連結される一対の連結具と、一対の連結具に両端が連結される連結線とを備える。連結具は、パッキンとガラス板の間に挿入でき、かつパッキンとガラス板の間に挿入して回転できる太さの線材からなり、この線材は先端部をＬ字状としてガラス板の外周縁に係止されるガラス周縁係止部を有し、さらに線材はパッキンからの露出部に連結線を連結する連結部を設けている。この連結具は、Ｌ字状の先端部がパッキンとガラス板の間に挿入される状態で回転されて、ガラス周縁係止部がガラス板の外周縁に係止され、ゴム状弾性体のパッキンでもってガラス板の表面に押圧されてガラス板に連結状態に保持される。さらに、連結装置は、一対の連結具がガラス板の対向部に連結され、この連結具に連結線が連結されて、ガラス板と連結線との間に被固定材を挟着する。
【００１３】
この連結装置は、極めて簡単な構造としながら、ガラス板に確実に抜けないように連結でき、さらに誰もが簡単かつ容易に、しかも速やかにガラス板にセットできる連結具でもって、ガラス板の表面にシート材等を簡単に取り付けできる。
【００１４】
また、本発明の請求項５の連結装置の連結具は、ガラス板から外部に露出する露出部に、ガラス周縁係止部がガラス板の外周縁に係止される状態で、ガラス板の表面に沿う回転阻止部を設けている。この回転阻止部がガラス板の表面に沿う状態で、ガラス周縁係止部をガラス板の外周縁の係止位置に保持する。したがって、この連結装置は、連結具に設けた回転阻止部でもって、ガラス周縁係止部をガラス板の外周縁に係止できる位置に保持して、連結具をガラス板に確実に抜けないように連結し、この連結具と連結線とが被固定材を確実に外れないようにガラス板に取り付けできる。
【００１５】
また、本発明の請求項６の連結装置は、ガラス周縁係止部の先端部が内側に折曲されてロック片を設けている。この連結具は、ロック片によってガラス周縁係止部を溝形として、この溝部にガラス板の外周縁部を案内して係止するので、ガラス周縁係止部をより確実にガラス板の外周縁に係止して、ガラス周縁係止部を抜けないように係止できる。このため、ガラス板に確実に抜けないように連結される連結具と、これに連結する連結線とでもって、被固定材を確実に外れないようにガラス板に取り付けできる。
【００１６】
さらにまた、本発明の請求項７の連結装置は、被固定材を、透明シート、半透明シート、不透明シートのいずれかとする。これ等のシートをガラス板に固定することで、ガラス板を断熱し、遮光し、あるいは目隠しすることができる。
【００１７】
また、本発明の請求項８の連結装置は連結線を伸縮性のある線材とし、請求項９の連結装置は、伸縮性のある連結線をゴム糸やスプリング線とする。連結線を伸縮性のある線材とする連結装置は、連結線の伸縮性でもって、被固定材をガラス板に密着できる。
【発明を実施するための最良の形態】
【００１８】
以下、本発明の実施例を図面に基づいて説明する。ただし、以下に示す実施例は、本発明の技術思想を具体化するためのガラス板に連結される連結具とこの連結具を使用する連結装置を例示するものであって、本発明は連結具と連結装置を以下のものに特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図２に示す連結装置は、ゴム状弾性体のパッキン１を介して外周を枠体２に固定しているガラス板３の対向部に連結される一対の連結具４と、この連結具４に両端を連結している連結線５とで被固定材６のシート材を窓ガラスの室内側の表面に固定している。この図に示すように、本発明の連結具４は、主としてガラス板３の室内側からパッキン１の間に挿入されて、ガラス板３の室内側に被固定材６のシート材等を固定する。ただ、本発明の連結具と連結装置は、ガラス板の室外側の表面からパッキンとの間に連結具を挿入して、ガラス板の室外側に被固定材のシート材などを固定することもできる。
【００２１】
連結具４は、パッキン１とガラス板３の間に挿入でき、かつパッキン１とガラス板３の間に挿入して回転できる太さの線材からなる。この線材は、好ましくはピアノ線、ステンレス製のバネ線等の弾性金属線が使用される。ただ、弾性のない金属線も使用できる。さらに、金属線は、表面を被覆してさびない処理をし、あるいはＳＵＳ３０４等の錆ないバネ線を使用することもできる。さらに、連結具４の線材は、硬質プラスチック製の線材も使用できる。線材は、ガラス板３とパッキン１との間にスムーズに挿入して回転できる太さとする。線材が太すぎると、ガラス板３とパッキン１との間に挿入するのが難しくなる。したがって、線材の太さは、たとえば１．５ｍｍ以下、好ましくは１．２ｍｍ以下、さらに好ましくは１ｍｍ以下とする。線材は細すぎると十分な強度を実現できない。したがって、線材の太さは、たとえば０．３ｍｍ以上、好ましくは０．５ｍｍ以上とする。線材の太さは、材質と用途を考慮して最適値に設定されるが、たとえば約１ｍｍとして、ガラス板３とパッキン１の間にスムーズに挿入しながら十分な強度にできる。
【００２２】
連結具４は、線材の先端部をＬ字状としてガラス板３の外周縁に係止されるガラス周縁係止部７を設けている。さらに、線材の後端部は、パッキン１からの露出部に連結線５を連結する連結部８を設けている。
【００２３】
図２の連結具４は、ガラス周縁係止部７の先端部を内側に折曲する形状として、先端にロック片を設けている。ロック片９は図２に示すように、ガラス板３の外側面に係止されて、ガラス周縁係止部７を抜けないようにガラス板３の外周縁に係止する。このガラス周縁係止部７はロック片９で溝形に形成されるが、溝の内幅をガラス板３の厚さとして、ロック片９の内側にガラス板３を案内して、ガラス周縁係止部７を抜けないようにガラス板３の外周縁に引っかけて連結できる。とくに、本発明の連結具４は、パッキン１の弾性でもって、ガラス板３の表面に向かって弾性的に押圧されるので、ガラス周縁係止部７は抜けないようにガラス板３の外周縁に係止される。
【００２４】
さらに、図２の連結具４は、線材の後端部に設けている連結部８を、回転阻止部１０に併用している。回転阻止部１０は、パッキン１から外部に露出する露出部、図２において線材の後端部に、ガラス周縁係止部７をガラス板３の外周縁に係止される状態で、ガラス板３の表面に沿うように設けられる。すなわち、回転阻止部１０はガラス周縁係止部７を含む面内に対して直交する面内にあって所定の幅を有する形状とされる。回転阻止部１０がガラス板３の内面に沿う状態となって、ガラス板３の外周縁に係止されるガラス周縁係止部７の回転が阻止される。したがって、回転阻止部１０を有する連結具４は、ガラス周縁係止部７をガラス板３の外周縁に係止する状態で回転して、ガラス周縁係止部７の係止状態が解除される、いいかえるとガラス周縁係止部７がガラス板３の表面と平行な状態となることがない。このため、ガラス周縁係止部７がガラス板３の外周縁に係止する状態に保持して、抜けないようにガラス板３に連結できる。
【００２５】
図２の連結具４は、線材の後端部をループ状として、回転阻止部１０に併用される連結部８を設けている。この連結部８は、ループに連結線５を挿入して結束し、あるいは引っかけて連結することができる。また、ループをガラス板３の表面に接近して沿う状態として、線材の回転を阻止してガラス周縁係止部７を係止位置に保持できる。
【００２６】
以上の連結具４は、後端の連結部８や回転阻止部１０をつかんで、図２の鎖線で示すように、Ｌ字状の先端部をパッキン１とガラス板３の間に挿入する。このとき、ガラス周縁係止部７をガラス板３と平行な姿勢として、ガラス板３とパッキン１との間に通過させる。ゴム状弾性体からなるパッキン１は変形して、ガラス周縁係止部７をスムーズにガラス板３との間に通過させる。ガラス周縁係止部７をガラス板３の外周縁まで挿入する状態で、回転阻止部１０や連結部８をつかんで９０度回転させると、ガラス周縁係止部７がガラス板３の外周縁に係止される状態になる。この状態で、ゴム状弾性体のパッキン１は、線材をガラス板３の表面に向かって押圧する。この連結状態にある連結具４は、パッキン１を室内側から室外側には貫通せず、パッキン１がガラス板３の防水を阻害することはない。
【００２７】
図２に示すように、一対の連結具４がガラス板３の対向部に連結されて、連結具４に連結線５を連結して、ガラス板３と連結線５との間に被固定材６を挟着する。図２はガラス板３の上下に連結具４を連結し、上下の連結具４に連結線５の両端を連結して、連結線５とガラス板３の間にシート材を挟んで固定している。さらに、図２の連結装置は、ガラス板３の上下に各々２組の連結具４を連結して、２本の連結線５で被固定材６のシート材をガラス板３の表面に挟着している。
【００２８】
連結線５は、ゴム糸やスプリング線等の伸縮性を有する連結線５が適している。また、スプリング線は弾性線材からなるコイルスプリングが使用できる。伸縮性のある連結線５は、伸長する状態で両端を連結具４に連結して、被固定材６をガラス板３の表面に密着状態で固定できる。それは、弾性収縮力で連結線５がガラス板３の表面に接近するからである。連結線５は、結束して連結具４の連結部８に連結し、あるいは図示しないが端部に連結フック（図示せず）などを連結して、簡単に連結部に連結できる。
【００２９】
図３ないし図１２は、異なる形状の連結具４の具体例を示している。
これ等の図に示す連結具４は、先端のガラス周縁係止部７と、パッキン挟着部１１と、パッキン１から外部に引き出される延長部１２と、後端の連結部８とからなる。これらの連結具４は、線材の先端部をＬ字状としてガラス周縁係止部７を設けており、さらにガラス周縁係止部７の先端にはロック片９を設けている。連結部８はループ状であるが、ループ状以外の形状であっても、連結線５を連結できる全ての形状、たとえば図示しないがフック状とすることもできる。
【００３０】
図３と図４の連結具４は、延長部１２の中間をガラス板３に向かって折曲している。この連結具は、パッキンがパッキン挟着部１１をガラス板に押圧することで、ガラス周縁係止部７をガラス板の外周縁に確実に係止できる。このため、ガラス周縁係止部７をより確実にガラス板の外周縁に係止状態に保持できる。
【００３１】
図５と図６の連結具４は、両側に突出する回転阻止部１０を延長部１２に設けている。回転阻止部１０は、両側に突出している。この回転阻止部はプラスチック板の内部に線材を埋設している。この連結具４は、両側に突出する回転阻止部１０でもって回転を確実に阻止できる。このため、ガラス周縁係止部７をガラス板の外周縁に確実に係止できる。
【００３２】
さらに、図７と図８の連結具４は、パッキン挟着部１１に先端に向かって次第に薄くなるテーパー状の回転阻止部１０を両側に突出するように設けている。この連結具４は、テーパー状の回転阻止部１０をパッキンとガラス板に挟着して、パッキンで回転阻止部１０をガラス板の表面に密着できる。このため、ガラス周縁係止部７の回転が確実に阻止されると共に、ガラス周縁係止部７をガラス板の外周縁に確実に係止する状態に保持する。
【００３３】
さらにまた、図９と図１０の連結具４は、パッキン挟着部１１と延長部１２との境界に段差ができる形状として、延長部１２をガラス板の表面から離す形状としている。この連結具４は、断熱材のように厚い被固定材をガラス板３の表面に挟着するのに適している。延長部１２とガラス板との間に被固定材６を挟着できる隙間ができるからである。
【００３４】
また、図１１と図１２の連結具４は、線材を分岐して複数のガラス周縁係止部７を設けている。さらにこの連結具４は、分岐部にプレート状の回転阻止部１０を設けている。分岐した線材はそれ自体で回転が阻止されるので、回転阻止部１０を設けることなく回転を阻止できる。また、複数のガラス周縁係止部７を備えるので、ガラス板に強固に連結できる。このため、線材を細くして、ガラス板に十分な強度で連結できる。この連結具４は、各々のガラス周縁係止部７をガラス板の外周縁に係止してガラス板に連結する。最初に一方のガラス周縁係止部７をガラス板の外周縁に連結した後、他方のガラス周縁係止部７は線材をねじってパッキンとガラス板との間に挿入する。ガラス周縁係止部７がガラス板の外周縁まで挿入されると、線材の弾性で回転されて、ガラス周縁係止部７はガラス板の外周縁に係止される。
【００３５】
本発明の連結装置は、シート材などの被固定材６をガラス板３の表面に連結線５で挟んで固定できるが、本発明の固定する被固定材６を特定しない。被固定材６には、たとえば、透明シート、半透明シート、不透明シート材等のシート材が使用され、または所定の厚さの断熱シートなども使用できる。
【００３６】
さらに、本発明の連結装置は、複数枚のシート材を積層してガラス板３の表面に連結線５とガラス板３とで挟んで互いに相対的にずらせることができる状態で挟着することができる。被固定材６である複数枚のシート材は、たとえば、図１３に示すように、同じピッチで複数の貫通孔１３のあるシート材を積層して、光や視認性をコントロールすることができる。それは、積層しているシート材の相対位置をずらせて、貫通孔１３を一致し、あるいは貫通孔１３の位置を異なる位置とて、他方のシートで貫通孔を閉塞できるからである。
【００３７】
連結線５が被固定材をガラス板の表面に挟着する具体例を図１４ないし図１９に示している。図１４と図１５は、複数組の連結具をガラス板の上下の対向位置に連結して、上下に伸びる複数の連結線５で被固定材６をガラス板の表面に挟着している。図１６と図１７は、複数組の連結具４をガラス板の左右の対向位置に連結して、水平方向にのびる複数の連結線５で被固定材６をガラス板の表面に挟着している。さらに、図１８の連結装置は、ガラス板の上下と左右の対向位置に複数組の連結具４を連結して、上下左右に伸びる複数の連結線５で被固定材６をガラス板の表面に挟着する。さらにまた、図１９の連結装置は、ガラス板の隅部に対向して複数組の連結具４を連結して、ガラス板３の四隅部に連結線５を張りめぐらして、被固定材６をガラス板の表面に挟着する。以上の具体例は、種々の方向に連結線５を張り巡らせて被固定材６をガラス板の表面に挟着するが、本発明の連結装置は、連結線５が被固定材６をガラス板の表面に挟着する状態を特定するものではない。
【産業上の利用可能性】
【００３８】
本発明の連結具は、ガラス板の外周に連結されて、窓ガラスなどの表面に、透過光の調整シート、窓ガラスの装飾材、広告媒体、種々の表示、断熱シートなどを固定するのに使用される。
【図面の簡単な説明】
【００３９】
【図１】ガラス板に係止される従来の装飾フックを示す断面図である。
【図２】本発明の実施例にかかる連結装置の一部断面斜視図及び拡大斜視図である。
【図３】図２に示す連結具の正面図である。
【図４】図３に示す連結具の平面図である。
【図５】本発明の他の実施例にかかる連結具の正面図である。
【図６】図５に示す連結具の平面図である。
【図７】本発明の他の実施例にかかる連結具の正面図である。
【図８】図７に示す連結具の平面図である。
【図９】本発明の他の実施例にかかる連結具の正面図である。
【図１０】図９に示す連結具の平面図である。
【図１１】本発明の他の実施例にかかる連結具の正面図である。
【図１２】図１１に示す連結具の平面図である。
【図１３】ガラス板の表面に挟着される被固定材の具体例を示す正面図
【図１４】連結線が被固定材をガラス板に挟着する一例を示す正面図である。
【図１５】連結線が被固定材をガラス板に挟着する他の具体例を示す正面図である。
【図１６】連結線が被固定材をガラス板に挟着する他の具体例を示す正面図である。
【図１７】連結線が被固定材をガラス板に挟着する他の具体例を示す正面図である。
【図１８】連結線が被固定材をガラス板に挟着する他の具体例を示す正面図である。
【図１９】連結線が被固定材をガラス板に挟着する他の具体例を示す正面図である。
【符号の説明】
【００４０】
１…パッキン
２…枠体
３…ガラス板
４…連結具
５…連結線
６…被固定材
７…ガラス周縁係止部
８…連結部
９…ロック片
１０…回転阻止部
１１…パッキン挟着部
１２…延長部
１３…貫通孔
２００…サッシ枠体
２１０…窓ガラス対向ツメ
２１１…下端部の返し
２１２…突起形状
２１３…ブリッジ
２２０…サッシ対向ツメ
２２１…引っ掛け形状
２３０…ゴムビート
２５０…ワイヤー
２６０…挟持フック
３００…窓ガラス
【図１】
0004707724.tif 000002
【図２】
0004707724.tif 000003
【図３】
0004707724.tif 000004
【図４】
0004707724.tif 000005
【図５】
0004707724.tif 000006
【図６】
0004707724.tif 000007
【図７】
0004707724.tif 000008
【図８】
0004707724.tif 000009
【図９】
0004707724.tif 000010
【図１０】
0004707724.tif 000011
【図１１】
0004707724.tif 000012
【図１２】
0004707724.tif 000013
【図１３】
0004707724.tif 000014
【図１４】
0004707724.tif 000015
【図１５】
0004707724.tif 000016
【図１６】
0004707724.tif 000017
【図１７】
0004707724.tif 000018
【図１８】
0004707724.tif 000019
【図１９】
0004707724.tif 000020